(57)【要約】【課題】オンライン会議を行う人の声やパソコンのスピーカーから流れる音声が、周囲に響くのを抑制する防音ブースを提供する。【解決手段】デスクＤの上に設置可能な防音ブース１である。オンライン会議を行うための音声を発する装置（ノートパソコンＰ）の周囲に立設される衝立パネル１０（背板パネル１１、左側板パネル１２、右側板パネル１３）と、衝立パネル１０の上方に設置される天板パネル１４を備える。背板パネル１１、左右の側板パネル１２，１３、天板パネル１４は、デスクＤの前に置かれた椅子に着座してオンライン会議を行う人が、頭部を天板パネル１４の下方に入れることができるサイズに設計されている。【選択図】図１
0003228452.tif 000002
【実用新案登録請求の範囲】
【請求項１】
デスクの上に設置可能な防音ブースであって、
オンライン会議を行うための音声を発する装置の周囲に立設される衝立パネルと、
前記衝立パネルの上方に設置される天板パネルを備えた、防音ブース。
【請求項２】
前記衝立パネルは、
前記音声を発する装置の、背後に設置される背板パネルと、左右側方に設置される側板パネルからなり、
前記背板パネル、前記側板パネル、及び、前記天板パネルは、
前記デスクの前に置かれた椅子に着座してオンライン会議を行う人が、頭部を前記天板パネルの下方に入れることができるサイズとなされた、請求項１に記載の防音ブース。
【請求項３】
前記背板パネル、前記側板パネル、及び、前記天板パネルは、
吸音性を有するフォーム材と、前記フォーム材の外側面に接合された支持材からなる、請求項２に記載の防音ブース。
【請求項４】
前記支持材は、それぞれダンボールで構成されており、
前記支持材同士が同じダンボールを用いて連続している箇所を有すると共に、
前記支持材同士が異なるダンボールを用いて分離している箇所は面ファスナーにより固定された、請求項３に記載の防音ブース。
【請求項５】
前記支持材は、それぞれＭＤＦで構成されており、
前記支持材同士を組み合わせるためのスリットと、前記スリットに挿入する凸部及び鉤状部を備えた、請求項３に記載の防音ブース。
【考案の詳細な説明】
【技術分野】
【０００１】
本考案は、例えば事務机の上に置いて使用する防音ブースに関するものである。
【０００２】
より詳しくは、本考案は、オンライン会議を行う人の声やパソコンのスピーカーから流れる音声が、周囲に響くのを抑制する防音ブースに関するものである。
【背景技術】
【０００３】
周囲の会話や物音を吸収し、視野の一部も遮断することで個室感を生み出すことを目的とした卓上防音スクリーンが知られている（特許文献１）。また、ＯＡ機器のメカノイズや作業者のキー操作による音が周囲に伝搬するのを抑制することを目的とした卓上防音衝立も公知となっている（特許文献２）。
【０００４】
ところで、２０２０年に世界中に感染が拡大した新型コロナウイルスの影響により、ビジネスの様式が急速に変化しており、オフィスでは、企業間もしくはテレワークで在宅勤務をしている従業員との間でオンライン会議を行う機会が増えている。そのため、昨今、オンライン会議を行う人が発する声やパソコンのスピーカーから流れるオンライン会議の相手方の声による騒音が問題となっている。騒音は周囲の人に対して集中力の低下や作業効率の低下を招くので、防音対策は喫緊の課題である。
【０００５】
しかし、特許文献１の卓上防音スクリーンは、周囲からの音を遮断する目的で使用するものである。そのため、これを上記課題への対策に用いるとすれば、オンライン会議を行う人自身ではなく、周囲の人がそれぞれスクリーンを設置する必要があり、導入コストが高くなる。また、オンライン会議を行うたびに周囲の人にスクリーンの設置をお願いして手を煩わすのは気を遣うことでもある。
【０００６】
一方、特許文献２の卓上防音衝立は、周囲への音の伝搬を抑制する目的で使用するものではあるが、中央パネルと、この中央パネルにヒンジ部材で連結された左右２枚のパネルからなり、これらを任意の角度に広げた状態で設置する構成である。つまり、音を遮るパネルはパソコンの背後と左右にしか存在せず、会議をしている人の頭部付近やパソコンの上方は開放された状態になっている。
【０００７】
そのため、特許文献２の衝立は、音の伝搬を抑制する効果は限定的である。キー操作の音などデスクの天板付近で発生する小さな音であれば一定の効果は見込めても、オンライン会議を行う人の声やパソコンのスピーカーから流れる音声は、開放している上方の空間を通じて周囲に伝搬してしまう。
【先行技術文献】
【特許文献】
【０００８】
【特許文献１】実用新案登録第３２２０５６０号公報
【特許文献２】特開平９−９８８６７号公報
【考案の概要】
【考案が解決しようとする課題】
【０００９】
本考案が解決しようとする課題は、従来の防音スクリーンまたは防音衝立は、オンライン会議の声が周囲に響くのを抑制する目的で使用することは不向きであった点である。
【課題を解決するための手段】
【００１０】
本考案は、オンライン会議の声や音声に対して十分な効果が認められる防音ブースを提供することを目的とし、以下に列記する構成を主要な特徴点としている。
【００１１】
第１考案は、
デスクの上に設置可能な防音ブースであって、
オンライン会議を行うための音声を発する装置の周囲に立設される衝立パネルと、
前記衝立パネルの上方に設置される天板パネルを備えた構成である。
【００１２】
第２考案は、第１考案において、
前記衝立パネルは、
前記音声を発する装置の、背後に設置される背板パネルと、左右側方に設置される側板パネルからなり、
前記背板パネル、前記側板パネル、及び、前記天板パネルは、
前記デスクの前に置かれた椅子に着座してオンライン会議を行う人が、頭部を前記天板パネルの下方に入れることができるサイズとなされた構成である。
【００１３】
第３考案は、第２考案において、
前記背板パネル、前記側板パネル、及び、前記天板パネルは、
吸音性を有するフォーム材と、前記フォーム材の外側面に接合された支持材からなる構成である。
【００１４】
第４考案は、第３考案において、
前記支持材は、それぞれダンボールで構成されており、
前記支持材同士が同じダンボールを用いて連続している箇所を有すると共に、
前記支持材同士が異なるダンボールを用いて分離している箇所は面ファスナーにより固定された構成である。
【００１５】
第５考案は、第３考案において、
前記支持材は、それぞれＭＤＦで構成されており、
前記支持材同士を組み合わせるためのスリットと、前記スリットに挿入する凸部及び鉤状部を備えた構成である。
【考案の効果】
【００１６】
本考案の防音ブースは、例えばパソコン等のオンライン会議を行うための音声を発する装置の周囲に立設される衝立パネル（例えば、背後に設置される背板パネル、左側方及び右側方に設置される側板パネル）のみならず、これらのパネルの上方を覆うように設置される天板パネルを備える。そして、デスクの前の椅子に着座してオンライン会議を行う人は、頭部を天板パネルの下方に入れることができる。
【００１７】
従って、オンライン会議を行う人の声は、天板パネルと衝立パネルに囲まれた空間内で吸音され、声が周囲に響くのを抑制できる。また、パソコンのスピーカーから流れる音声が周囲に響くのも同様に抑制できる。
【００１８】
また、吸音性を有するフォーム材と、フォーム材の外側面に接合された支持材からなる本考案の防音ブースによれば、支持材の効果によって形状保持性が良好となり、繰り返し使用することが可能となる。
【００１９】
また、前記支持材をダンボールもしくはＭＤＦで構成し、所要の手段で組み合わせた本考案の防音ブースによれば、会議が終了した後は嵩張らないように分解することができると共に、一定期間使用した後の廃棄処分も簡単となる。
【００２０】
なお、本明細書において「オンライン会議を行うための音声を発する装置」とは、例えば本体にスピーカーが内蔵されたノートパソコン、タワー型パソコンに接続された外付けのスピーカー、テレビ会議専用の装置、ビジネスフォン、電話会議システム等、機器の種類を問わず、オンライン会議を行うために使用される音声を発する装置はすべて含むものである。また、これらの装置にイヤホンやヘッドホンを接続することで、ＷＥＢ会議の相手方の声は周囲に流れないようにユーザー側で配慮する使用形態も考えられるが、イヤホンやヘッドホンの接続が可能な装置も、本明細書にいう「オンライン会議を行うための音声を発する装置」に含まれる。
【図面の簡単な説明】
【００２１】
【図１】図１は、第１実施例に係る防音ブースの使用状態を示す図である。
【図２Ａ】図２Ａは、第１実施例に係る防音ブースの天板パネル及び右側板パネルを示す図である。
【図２Ｂ】図２Ｂは、第１実施例に係る防音ブースの背板パネル及び左側板パネルを示す図である。
【図３】図３は、第２実施例に係る防音ブースの使用状態を示す図である。
【図４Ａ】図４Ａは、第２実施例に係る防音ブースの天板パネルを示す図である。
【図４Ｂ】図４Ｂは、第２実施例に係る防音ブースの右側板パネルを示す図である。
【図４Ｃ】図４Ｃは、第２実施例に係る防音ブースの左側板パネルを示す図である。
【図４Ｄ】図４Ｄは、第２実施例に係る防音ブースの背板パネルを示す図である。
【図５】図５は、第２実施例に係る防音ブースを後方から見た図である。
【考案を実施するための最良の形態】
【００２２】
以下、図面を参照しながら、本考案を実施するための最良の形態について詳細に説明する。なお、以下の実施形態の説明は、本考案、その適用物、その用途の範囲を制限することを意図するものではない。
【実施例】
【００２３】
以下の実施例では、デスクＤの中央にオンライン会議を行うことが可能なノートパソコンＰが置かれている。ノートパソコンＰにはスピーカー、マイク、ＷＥＢカメラが内蔵されており、会議システムのアプリケーションがインストールされている。デスクＤの前にはオンライン会議を行う人が着座する椅子（図示せず）が置かれている。
【００２４】
［第１実施例］（図１、図２Ａ、図２Ｂ）
１は、ノートパソコンＰの周囲に設置される衝立パネル１０と、衝立パネル１０の上方を覆うように設置される天板パネル１４を備えた第１実施例の防音ブースである。
【００２５】
衝立パネル１０は、ノートパソコンＰの背後に設置される背板パネル１１と、左側方に設置される左側板パネル１２、右側方に設置される右側板パネル１３からなる。
【００２６】
衝立パネル１０（背板パネル１１、左側板パネル１２、右側板パネル１３）は、何れもデスクＤの天板に対し直交する向きに立てた状態となっている。天板パネル１４は、デスクＤの天板に対して平行である。つまり、防音ブース１は、デスク上に設置可能な箱状の構造物であって、背・側（左・右）・天の４枚のパネルによってノートパソコンＰを周囲４方向から立体的に囲んだ状態にするものである。本実施例における外寸（横×奥行×高さ）の一例は、６６０ｍｍ×６９０ｍｍ×６８５ｍｍである。
【００２７】
防音ブース１は、デスクＤの前に置かれた椅子に着座してオンライン会議を行う人が、その頭部を天板パネル１４の下方に入れることができるように、背板パネル１１、左右の側板パネル１２，１３のサイズが上記一例のように設計されている。従って、オンライン会議を行う人は、背板パネル１１、左右の側板パネル１２，１３、天板パネル１４に囲まれた空間内に頭部を入れることができるので、その人が発する声やノートパソコンＰのスピーカーから流れる音声は確実に遮音され、周囲に響くのを抑制できる。本実施例では、音源より１ｍ付近の防音性能として、約５６ｄＢから約５１ｄＢに低減できることが確認されている。
【００２８】
衝立パネル１０（背板パネル１１、左右の側板パネル１２，１３）と天板パネル１４はいずれも吸音性を有するフォーム材１５と、フォーム材１５の外側面に接着剤で接合された支持材１１ａ，１２ａ，１３ａ，１４ａとで構成される。
【００２９】
フォーム材１５は、産業用吸音材としてＯＡ事務機器・家電・車両の分野で十分な実績がある軟質ウレタンフォームを使用している。このフォーム材１５は軟質であるため、片側の面に支持材１１ａ〜１４ａを接着剤で接合することによりブース１０の形状保持性を高めている。第１実施例では、支持材１１ａ〜１４ａとしてダンボールを使用することでブース１０に適度な強度が得られ、繰り返し使用することが可能になっている。
【００３０】
天板パネル１４の支持材１４ａと右側板パネル１３の支持材１３ａは、１枚の同じダンボールをＬ字状に折り曲げて製作したものであり、持材１４ａと支持材１３ａは防音ブース１の角部２において連続している（図２Ａ）。同様に、背板パネル１１の支持材１１ａと左側板パネル１２の支持材１２ａは１枚の同じダンボールをＬ字状に折り曲げて製作しており、支持材１１ａと支持材１２ａは防音ブース１の角部３において連続している（図２Ｂ）。一方、防音ブース１において、支持材同士が異なるダンボールを用いているため分離している角部は面ファスナー１６を使用して着脱自在に固定している。
【００３１】
このようにすることで防音ブース１は、会議終了後は面ファスナー１６を分離し、嵩張らないように分解することができる。また、支持材１１ａ〜１４ａにダンボールを用いているため、一定期間使用後は燃えるゴミとして廃棄処分が簡単であり、環境に配慮した製品となる。
【００３２】
［第２実施例］（図３、図４Ａ〜図４Ｄ、図５）
本実施例の防音ブース５は、ノートパソコンＰの周囲に設置される衝立パネル５０と、衝立パネル５０の上方を覆うように設置される天板パネル５４を備える。衝立パネル５０は、ノートパソコンＰの背後に設置される背板パネル５１、左側板パネル５２、右側板パネル５３からなる。
【００３３】
防音ブース５も、着座してオンライン会議を行う人が、その頭部を天板パネル５４の下方に入れることができるように、背板パネル５１、左右の側板パネル５２，５３のサイズが設計されており、オンライン会議を行う人の声やノートパソコンＰのスピーカーから流れる音声が周囲に響くのを確実に抑制できる。本実施例における外寸（横×奥行×高さ）の一例は７５０ｍｍ×７１５ｍｍ×７２５ｍｍであり、音源より１ｍ付近の防音性能として約５６ｄＢから約５０ｄＢに低減できることが確認されている。
【００３４】
背板パネル５１、左右の側板パネル５２，５３、天板パネル５４は、吸音性を有するフォーム材５５と、フォーム材５５の外側面に接着剤で接合された支持材５１ａ，５２ａ，５３ａ，５４ａとで構成される。第２実施例では、支持材５１ａ〜５４ａにＭＤＦ（中密度繊維板）を使用しているので、第１実施例よりも堅牢な構造となっている。なお、フォーム材５５に使用している軟質ウレタンフォームは第１実施例と同じである。
【００３５】
天板パネル５４（図４Ａ）の支持材５４ａには、端部付近に計６箇所、スリット５４ａａが設けられている。右側板パネル５３（図４Ｂ）の支持材５３ａには、天板パネル５４のスリット５４ａａに挿入される凸部５３ａｂと、スリット５３ａａが設けられている。左側板パネル５２（図４Ｃ）の支持板５２ａには、天板パネル５４のスリット５４ａａに挿入される凸部５２ａｂと、スリット５２ａａが設けられている。そして、背板パネル５１（図４Ｄ）の支持板５１ａには、天板パネル５４のスリット５４ａａに挿入される凸部５１ａｂと、左右の側板パネル５２，５３のスリット５２ａａ及び５３ａａに挿入される鉤状部５１ａｃが設けられている。なお、支持材同士を組み合わせるときは、背板パネル５１を通常の位置よりも少し持ち上げた状態で鉤状部５１ａｃをスリット５２ａａ，５３ａａに挿入した後、背板パネル５１を通常の位置まで下げることで図５に示す状態となり支持材の組み合わせが完了する。
【００３６】
このように防音ブース５は、支持材同士を組み合わせるためのスリット５２ａａ，５３ａａ，５４ａａ、凸部５１ａｂ，５２ａｂ，５３ａｂ及び鉤状部５１ａｃを備えており、堅牢な構成であると共に、会議終了後は分解することが可能で保管時に場所を取ることがない。
【００３７】
本考案は上記の例に限らず、各請求項に記載された技術的思想の範疇であれば、適宜実施の形態を変更しても良いことは言うまでもない。
【００３８】
例えば、オンライン会議を行う人の顔が暗く映るのを避けるために、防音ブースの内部にＬＥＤ照明を取り付けても良い。
【００３９】
また、上記実施例では、ノートパソコンの周囲を囲む衝立パネルは、背板パネル、左側板パネル、右側板パネルの３枚のパネルを使用して平面視「コ」の字状に囲む例を示したが、衝立パネルの実施形態はこれに限らない。例えば３枚のパネルを使用して平面視台形状に囲むようにしても良いし、衝立パネルの枚数は１〜２枚、４枚以上でも良い。
【符号の説明】
【００４０】
１  防音ブース
１０  衝立パネル
１１  背板パネル
１１ａ  支持材（ダンボール）
１２  左側板パネル
１２ａ  支持材（ダンボール）
１３  右側板パネル
１３ａ  支持材（ダンボール）
１４  天板パネル
１４ａ  支持材（ダンボール）
１５  フォーム材
１６  面ファスナー
５  防音ブース
５０  衝立パネル
５１  背板パネル
５１ａ  支持材（ＭＤＦ）
５１ａｂ  凸部
５１ａｃ  鉤状部
５２  左側板パネル
５２ａ  支持材（ＭＤＦ）
５２ａａ  スリット
５２ａｂ  凸部
５３  右側板パネル
５３ａ  支持材（ＭＤＦ）
５３ａａ  スリット
５３ａｂ  凸部
５４  天板パネル
５４ａ  支持材（ＭＤＦ）
５４ａａ  スリット
５５  フォーム材
【図１】
0003228452.tif 000003
【図２Ａ】
0003228452.tif 000004
【図２Ｂ】
0003228452.tif 000005
【図３】
0003228452.tif 000006
【図４Ａ】
0003228452.tif 000007
【図４Ｂ】
0003228452.tif 000008
【図４Ｃ】
0003228452.tif 000009
【図４Ｄ】
0003228452.tif 000010
【図５】
0003228452.tif 000011